(57)【要約】【課題】コンプレッサーから除湿装置及び各種の使用機器に至るまで防錆効果を発揮し、低廉なコストで提供可能な圧縮空気除湿用空気中和化装置を提供する。【解決手段】圧縮空気に利用する空気を吸入する吸気口と中和化した空気を排出する排気口とを備えた処理容器１１を形成する。該処理容器１１の内部に、アルカリ材１２Ａを収納した中和器１２を設ける。該中和器１２の上部からアルカリ材１２Ａに水を噴射して中和器１２内部でアルカリ水を生成するシャワー装置１３を設ける。該シャワー装置１３が噴射した水を受ける受水タンク１４を設ける。冷却された空気が接触すると空気中の水分が分離する気液分離器１５を設ける。大気汚染にて酸化した空気が処理容器１１を通過する際に、空気中に含まれている水分が中和器１２の内部で中和化され、気液分離器１５に接触して空気から分離するように構成する。【選択図】図１
0003155900.tif 000002
【実用新案登録請求の範囲】
【請求項１】
圧縮空気を除湿する装置に備えられ酸化した空気の中和化を図る空気中和化装置であって、圧縮空気に利用する空気を吸入する吸気口と中和化した空気を排出する排気口とを備えた処理容器が形成され、該処理容器の内部に、アルカリ材を収納した中和器と、該中和器の上部からアルカリ材に水を噴射して中和器内部でアルカリ水を生成するシャワー装置と、該シャワー装置が噴射した水を受ける受水タンクと、冷却された空気が接触すると空気中の水分が分離する気液分離器とを備え、該空気中和化装置は、大気汚染にて酸化した空気が処理容器を通過する際に、空気中に含まれている水分が中和器の内部で中和化され、該中和化された水分が気液分離器に接触して空気から分離するように構成されたことを特徴とする圧縮空気除湿用空気中和化装置。
【請求項２】
前記空気中和化装置は、圧縮空気除湿装置に空気を圧縮して送るコンプレッサーの吸気側に装着され、該空気中和化装置にて気液分離された空気をコンプレッサーで圧縮して圧縮空気除湿装置に送風するように構成された請求項１記載の圧縮空気除湿用空気中和化装置。
【請求項３】
前記圧縮空気除湿装置は、圧縮空気を送り込むように構成された冷却筒体と、該冷却筒体の内部に冷却水を循環せしめて圧縮空気を冷却する冷却器と、該冷却筒体内部で冷却された圧縮空気の気液を分離するデミスター装置と、を有する冷却式の除湿装置であって、該冷却器は、クーリングタワーの冷水を利用して大容量の圧縮空気を冷却する冷却器である請求項１又は２記載の圧縮空気除湿用空気中和化装置。
【請求項４】
前記空気中和化装置において、前記中和器の内部に収納する前記アルカリ材は、牡蠣殻を使用した請求項１又は２記載の圧縮空気除湿用空気中和化装置。
【考案の詳細な説明】
【技術分野】
【０００１】
本考案は、圧縮空気を除湿する装置に使用される空気中和化装置であって、汚染された空気によってコンプレッサーや除湿器等に生じる不具合を防止する圧縮空気除湿用空気中和化装置に関するものである。
【背景技術】
【０００２】
当出願人は、先に空気圧縮機の防錆方法（特許文献１）及びエアコンドレンの牡蠣殻による中和化装置（特許文献２）を提案している。
【０００３】
特許文献１の防錆方法は、空気圧縮装置の中に、水を電気分解して得られたアルカリイオン水を注入することで、この空気圧縮装置の防錆を図るものである。また、特許文献２の中和化装置は、除湿前の圧縮空気を中和化室に通過させると共に、除湿時に生じる凝縮水をこの中和化室に通過させることで、凝縮水も中和できるようにしたものである。
【０００４】
一方、オゾン水を利用した圧縮空気生成システムが特許文献３に記載されている。このシステムでは、オゾン水が二酸化窒素を溶解する性質に着目したもので、水の電気分解によりオゾン水を製造し、このオゾン水に圧縮空気として利用する空気を接触させることで、空気中の二酸化窒素を除去しようとするものである。
【先行技術文献】
【特許文献】
【０００５】
【特許文献１】特公平７‐９２０５３号公報
【特許文献２】特許第３０７４５１１号公報
【特許文献３】特開２００７−１６２４８５号公報
【考案の概要】
【考案が解決しようとする課題】
【０００６】
当出願人が前記特許文献１に示す防錆方法では、水を電気分解して得られたアルカリイオン水を空気圧縮装置の中に注入することで、空気圧縮装置自体の防錆を図ることは可能になった。ところが、この防錆効果は空気圧縮装置のみに限定されるものであり、その他の機器を防錆することは困難であった。
【０００７】
そこで当出願人により改良された特許文献２の中和化装置によると、エアコンの圧縮空気自体を中和化することで、この圧縮空気の流通経路に沿った防錆をすることに成功した。ところが、この中和化装置では、圧縮空気を中和化するので、圧縮前の空気を中和化することはできなかった。そのため、空気を取り入れて圧縮空気を生成するコンプレッサーが汚染された空気で腐食するのを防止することは困難であった。
【０００８】
一方、特許文献３に記載された圧縮空気生成システムでは、水を電気分解してオゾン水を製造する装置を使用するので、製造コストやランニングコストが極めて高くなるといった不都合が生じる。しかも、オゾン水自体が強い酸性であることから、空気中の二酸化窒素を溶解させることが可能であるとしても、酸性のオゾン水に触れた圧縮空気内の水分の影響によって、逆に各種機器が錆付くおそれもある。
【０００９】
そこで本考案は、上述の課題を解決すべく案出されたもので、コンプレッサーから除湿装置及び各種の使用機器に至るまで防錆効果を発揮し、しかも、低廉なコストでランニングコストも少なくて済む圧縮空気除湿用空気中和化装置の提供を目的とするものである。
【課題を解決するための手段】
【００１０】
上術の課題を解決するため、本考案の第１の手段は、圧縮空気を除湿する装置に備えられ酸化した空気の中和化を図る空気中和化装置１０であって、圧縮空気に利用する空気を吸入する吸気口と中和化した空気を排出する排気口とを備えた処理容器１１が形成され、該処理容器１１の内部に、アルカリ材１２Ａを収納した中和器１２と、該中和器１２の上部からアルカリ材１２Ａに水を噴射して中和器１２内部でアルカリ水を生成するシャワー装置１３と、該シャワー装置１３が噴射した水を受ける受水タンク１４と、冷却された空気が接触すると空気中の水分が分離する気液分離器１５とを備え、該空気中和化装置１０は、大気汚染にて酸化した空気が処理容器１１を通過する際に、空気中に含まれている水分が中和器１２の内部で中和化され、該中和化された水分が気液分離器１５に接触して空気から分離するように構成されたことにある。
【００１１】
第２の手段の前記空気中和化装置１０は、圧縮空気除湿装置３０に空気を圧縮して送るコンプレッサー２０の吸気側に装着され、該空気中和化装置１０にて気液分離された空気をコンプレッサー２０で圧縮して圧縮空気除湿装置３０に送風するように構成したことにある。
【００１２】
第３の手段の前記圧縮空気除湿装置３０は、圧縮空気を送り込むように構成された冷却筒体３１と、該冷却筒体３１の内部に冷却水を循環せしめて圧縮空気を冷却する冷却器３２と、該冷却筒体３１内部で冷却された圧縮空気の気液を分離するデミスター装置３３と、を有する冷却式の除湿装置であって、該冷却器３２は、クーリングタワーの冷水を利用して大容量の圧縮空気を冷却する冷却器３２である。
【００１３】
第４の手段は、前記空気中和化装置１０において、前記中和器１２の内部に収納する前記アルカリ材１２Ａは、牡蠣殻を使用したことを課題解消のための手段とする。
【考案の効果】
【００１４】
本考案の請求項１の如く、大気汚染にて酸化した空気が処理容器１１を通過する際に、空気中に含まれている水分が中和器１２の内部で中和化され、該中和化された水分が気液分離器１５に接触して空気から分離するように空気中和化装置１０を構成したことにより、コンプレッサー２０から除湿装置及び各種の使用機器に至るまで防錆効果を発揮することができる。
【００１５】
しかも、空気中和化装置１０の構成自体が極めてシンプルな構成で、空気中和化装置１０を独立した状態で使用できるので、使い勝手に優れるものである。
【００１６】
また、空気中和化装置１０の構成が簡略化されており、特許文献３の如く、電気分解する装置などは必要がないから、低廉なコストで提供でき、しかも、ランニングコストも少なくて済む。
【００１７】
請求項２のように、圧縮空気除湿装置３０に空気を圧縮して送るコンプレッサー２０の吸気側に空気中和化装置１０を装着し、該空気中和化装置１０にて冷却及び気液分離された空気をコンプレッサー２０で圧縮して圧縮空気除湿装置３０に送風するように構成したことで、中和化された圧縮空気の循環路全てについての防錆が可能になった。この結果、コンプレッサー２０から圧縮空気除湿装置３０は勿論のこと、各種の圧縮空気使用機器に至るまで汚染された大気の悪影響を防止することができる。
【００１８】
請求項３の如く、圧縮空気除湿装置３０の冷却器３２がクーリングタワーの冷水を利用して冷却する冷却器３２のように、大容量の圧縮空気を扱う除湿装置であっても汚染された大気の悪影響を防止することが可能になる。しかも、クーリングタワーの冷水を空気中和化装置１０に利用することも可能になり、より低廉なコストで提供でき、ランニングコストも極めて少なくて済む。
【００１９】
請求項４のように、中和器１２の内部に収納する前記アルカリ材１２Ａとして牡蠣殻を使用することで、牡蠣殻に含まれているアルカリ成分を中和器１２内で抽出して汚染されて酸化した空気を中和化することができる。しかも、大量に廃棄される牡蠣殻の有効利用にも貢献する。
【図面の簡単な説明】
【００２０】
【図１】本考案の一実施例を示す概略縦断面図である。
【図２】本考案の使用状態を示す概略図である。
【考案を実施するための形態】
【００２１】
このように、本考案によると、コンプレッサーから除湿装置及び各種の使用機器に至るまで防錆効果を発揮し、しかも、低廉なコストでランニングコストも少なくて済むなどといった目的を実現した。
【実施例】
【００２２】
以下、本考案の一実施例を説明する。本考案空気中和化装置は、圧縮空気を除湿する装置に備えられる装置であって、大気の汚染などにより酸化した空気の中和化を図る。この空気中和化装置は、処理容器１１の内部に、中和器１２、シャワー装置１３、受水タンク１４、気液分離器１５を装着したものである（図１参照）。
【００２３】
処理容器１１は、更に吸気口１１Ａと排気口１１Ｂとを有するもので、圧縮空気に利用する空気を吸気口１１Ａから吸入し、中和化した空気を排気口１１Ｂから排出する。
【００２４】
このような処理容器１１の内部に、下から順に受水タンク１４、中和器１２、シャワー装置１３、気液分離器１５が鉛直状に配設されている。
【００２５】
中和器１２は、通水性及び通気性を有する容器の内部にアルカリ材１２Ａを収納している。そして、シャワー装置１３にて中和器１２の上部からアルカリ材１２Ａに水を噴射する。水を噴射された中和器１２内部では、アルカリ材１２Ａのアルカリ成分が溶け出してアルカリ水が生成される。このとき、アルカリ材１２Ａは、牡蠣殻を使用することで、牡蠣殻に含まれているアルカリ成分をアルカリ水として抽出することができる。また、アルカリ材１２Ａは、シャワー装置１３にてアルカリ水として抽出することが可能な材質であれば他のアルカリ材１２Ａでもよく、中和器１２に収納する形態も、粉砕された状態や微粒子状など、アルカリ水を効率良く抽出可能な任意の形態で使用するものである。
【００２６】
このようにアルカリ水が生成された中和器１２内部を、大気汚染等にて酸化した空気が通過すると、空気中に含まれている水分が処理容器１１を通過する際に、中和器１２内部のアルカリ水によって中和化されるものである。そして、中和器１２内部の水で中和化された空気は、中和器１２の上方に装着された気液分離器１５に接触するように構成されている。
【００２７】
この気液分離器１５は、金属製のメッシュにて構成されるもので、空気中の水分がこの気液分離器１５に接触すると水分が空気から分離する作用を持つ。そのため、中和器１２内で中和化された空気中の水分は、この気液分離器１５に接触することで空気中から分離し、中和器１２内に落下するものとなる。
【００２８】
受水タンク１４は、シャワー装置１３にて噴射された水や、気液分離器１５で分離した水分を受ける。受水タンク１４の水は、再びシャワー装置１３に循環させることも可能である。受水タンク１４は、外部から水が供給され、この受水タンク１４内の水がポンプ１６を介して中和器１２に循環せしめるものである。このとき、受水タンク１４内に水道水を供給するほか、クーリングタワーの冷却水を受水タンク１４に供給させることも可能である。また、受水タンク１４内の水は、図示しない排出弁により定期的に交換する。
【００２９】
本考案空気中和化装置１０は、圧縮空気除湿装置３０に空気を圧縮して送るコンプレッサー２０の吸気側に装着されることで、このコンプレッサー２０や圧縮空気除湿装置３０の防錆を図ることができる（図２参照）。すなわち、空気中和化装置１０で中和化し、更に中和化した気液を分離した後の空気をコンプレッサー２０で圧縮して圧縮空気除湿装置３０に送風するように構成するものである。
【００３０】
圧縮空気除湿装置３０の一実施例としては、圧縮空気を送り込むように構成された冷却筒体３１と、該冷却筒体３１の内部に冷却水を循環せしめて圧縮空気を冷却する冷却器３２と、該冷却筒体３１内部で冷却された圧縮空気の気液を分離するデミスター装置３３と、を有する冷却式の除湿装置が使用される。特に、冷却器３２は、クーリングタワーの冷水を利用して大容量の圧縮空気を冷却する冷却器３２を使用する圧縮空気除湿装置３０であると、合理的な使用が可能になる。また、この冷却器３２で使用するクーリングタワーの冷水を空気中和化装置１０の受水タンク１４に供給することで、より合理的な使用が可能になり、より低廉なコストで提供でき、ランニングコストも極めて少なくて済む。
【００３１】
図示の圧縮空気除湿装置３０は、特に、デミスター装置３３を積み重ね自在に構成したものを示している。このように圧縮空気除湿装置３０のデミスター装置３３を複数個、積み重ね自在に形成することで、圧縮空気除湿装置３０の設置規模に応じてデミスター装置３３の容量を自由に変更できる利点がある。また、大容量の圧縮空気除湿装置３０として、デミスター装置３３の運搬も容易になるものである。
【００３２】
尚、本考案は、図示例に限定されるものではなく、圧縮空気除湿装置３０の形態は図示例に限られるものではなく、他の形態の圧縮空気除湿装置３０に使用することも可能であり、また、空気中和化装置１０の各構成における寸法や形状等の設計変更等は、本考案の要旨を変更しない範囲において自由に変更できるものである。
【産業上の利用可能性】
【００３３】
本考案によると、大気が汚染されているような現場でも大容量の除湿装置や通常規模の除湿装置として使用することが可能である。
【符号の説明】
【００３４】
１０  空気中和化装置
１１  処理容器
１１Ａ  吸気口
１１Ｂ  排気口
１２  中和器
１２Ａ  アルカリ材
１３  シャワー装置
１４  受水タンク
１５  気液分離器
１６  ポンプ
２０  コンプレッサー
３０  圧縮空気除湿装置
３１  冷却筒体
３２  冷却器
３３  デミスター装置
【図１】
0003155900.tif 000003
【図２】
0003155900.tif 000004
【手続補正書】
【提出日】平成21年8月19日(2009.8.19)
【手続補正１】
【補正対象書類名】実用新案登録請求の範囲
【補正対象項目名】請求項１
【補正方法】変更
【補正の内容】
【請求項１】
圧縮空気除湿装置に備えられ酸化した空気の中和化を図る空気中和化装置であって、圧縮空気に利用する空気を吸入する吸気口と中和化した空気を排出する排気口とを備えた処理容器が形成され、該処理容器の内部に、アルカリ材を収納した中和器と、該中和器の上部からアルカリ材に水を噴射して中和器内部でアルカリ水を生成するシャワー装置と、該シャワー装置が噴射した水を受ける受水タンクと、冷却された空気が接触すると空気中の水分が分離する気液分離器とを備え、該空気中和化装置は、大気汚染にて酸化した空気が処理容器を通過する際に、空気中に含まれている水分が中和器の内部で中和化され、該中和化された水分が気液分離器に接触して空気から分離するように構成されたことを特徴とする圧縮空気除湿用空気中和化装置。
【手続補正２】
【補正対象書類名】明細書
【補正対象項目名】００１０
【補正方法】変更
【補正の内容】
【００１０】
上術の課題を解決するため、本考案の第１の手段は、圧縮空気除湿装置３０に備えられ酸化した空気の中和化を図る空気中和化装置１０であって、圧縮空気に利用する空気を吸入する吸気口と中和化した空気を排出する排気口とを備えた処理容器１１が形成され、該処理容器１１の内部に、アルカリ材１２Ａを収納した中和器１２と、該中和器１２の上部からアルカリ材１２Ａに水を噴射して中和器１２内部でアルカリ水を生成するシャワー装置１３と、該シャワー装置１３が噴射した水を受ける受水タンク１４と、冷却された空気が接触すると空気中の水分が分離する気液分離器１５とを備え、該空気中和化装置１０は、大気汚染にて酸化した空気が処理容器１１を通過する際に、空気中に含まれている水分が中和器１２の内部で中和化され、該中和化された水分が気液分離器１５に接触して空気から分離するように構成されたことにある。